(57)【要約】      （修正有）【課題】スペースの利用効率および設置作業効率が良好な無線機架台および無線基地局を提供する。【解決手段】無線機架台は、４枚のパネル材１１、１２および蓋を有し、直方体の４つの側面の位置に取付面１６を有する。各パネル材は取付面１６を有する。各パネル材は互いに横方向に間隔をあけて縦方向に平行に伸びる１対以上の溝孔２３を有する。各取付面１６に無線機取付部を有する。無線機取付部は梁材２４、２５を有し、梁材２５は１対の溝孔２３の任意の位置に取り付けられ、直方体の一方の端面の位置に固定部を有し、他方の端面の位置に上面を有する。上面に接続部３２を有する。接続部３２は上面に同一寸法形状の他の無線機架台１を載せて接続可能な構成を有する。無線基地局は、無線機架台１と、無線機取付部に取り付けられた無線機２と、基礎３とを有し、固定部が基礎３に固定されている。【選択図】図１
0003233041.tif 000002
【実用新案登録請求の範囲】
【請求項１】
直方体の４つの側面の位置に取付面を有し、各取付面に無線機取付部を有し、前記直方体の一方の端面の位置に固定部を有することを、
特徴とする無線機架台。
【請求項２】
４枚のパネル材を有し、各パネル材は前記取付面を有し、各パネル材は互いに横方向に間隔をあけて縦方向に平行に伸びる１対以上の溝孔を有し、前記無線機取付部は梁材を有し、前記梁材は１対の前記溝孔の任意の位置に取り付けられ、前記直方体の他方の端面の位置に上面を有し、前記上面に接続部を有し、前記接続部は前記上面に同一寸法形状の他の無線機架台を載せて接続可能な構成を有することを、
特徴とする請求項１記載の無線機架台。
【請求項３】
請求項１または２記載の無線機架台と、
前記無線機取付部に取り付けられた無線機と、
基礎とを有し、
前記固定部が前記基礎に固定されていることを、
特徴とする無線基地局。
【考案の詳細な説明】
【技術分野】
【０００１】
本考案は、無線機架台および無線基地局に関する。
【背景技術】
【０００２】
ネットワークに接続された無線基地局とスマートフォンなどの携帯情報端末との間で無線通信を行うため、無線基地局が建物の屋上などに設置される。
従来の無線基地局として、通信装置用架台がパイプ状の支持部材と、設置部材と、錘が取り付けられた複数の第１梁部材と、設置部材に取り付けられた複数の第２梁部材と、連結部材とを備え、その通信装置用架台の支持部材にアンテナおよび通信機器が取り付けられたものが開示されている（例えば、特許文献１参照）。
【先行技術文献】
【特許文献】
【０００３】
【特許文献１】特開２０１７−１４３４０８号公報
【考案の概要】
【考案が解決しようとする課題】
【０００４】
しかしながら、特許文献１に記載の通信装置用架台は、支持部材の支持に設置スペースをとられるうえ、支持部材にアンテナと通信機器とを１つずつ取り付けると、ほかの通信機器を取り付ける余地がないことから、スペースの利用効率が悪いという課題があった。また、設置部材や錘、複数の第１梁部材、複数の第２梁部材、連結部材など多数の部材を用いて組み立てる必要があり、組立てに手間と時間がかかって設置作業の効率が悪いという課題があった。
【０００５】
本考案は、このような課題に着目してなされたもので、スペースの利用効率および設置作業効率が良好な無線機架台および無線基地局を提供することを目的とする。
【課題を解決するための手段】
【０００６】
上記目的を達成するために、本考案に係る無線機架台は、直方体の４つの側面の位置に取付面を有し、各取付面に無線機取付部を有し、前記直方体の一方の端面の位置に固定部を有することを、特徴とする。
本考案に係る無線機架台は、直方体の４つの側面の位置の取付面に無線機取付部を有するので、１台に４つの無線機を取り付けることができ、スペースの利用効率が良好である。また、設置箇所に運搬し、固定部で固定すれば使用することができるので、現場で部材を組み立てる必要がなく、設置作業効率が良好である。
【０００７】
本考案に係る無線機架台は、４枚のパネル材を有し、各パネル材は前記取付面を有し、各パネル材は互いに横方向に間隔をあけて縦方向に平行に伸びる１対以上の溝孔を有し、前記無線機取付部は梁材を有し、前記梁材は１対の前記溝孔の任意の位置に取り付けられ、前記直方体の他方の端面の位置に上面を有し、前記上面に接続部を有し、前記接続部は前記上面に同一寸法形状の他の無線機架台を載せて接続可能な構成を有することが好ましい。
この場合、溝孔に沿って無線機を取り付ける梁材の高さを調節し、任意の位置に取り付けることができる。また、本考案に係る無線機架台を縦方向に複数重ねて接続部で接続することができるので、設置スペースを広げずに、無線機の取付け台数を増やすことができる。
【０００８】
本考案に係る無線基地局は、前述の無線機架台と、前記無線機取付部に取り付けられた無線機と、基礎とを有し、前記固定部が前記基礎に固定されていることを、特徴とする。
本考案に係る無線基地局は、前述の無線機架台を有するので、１台の無線機架台に４つの無線機を取り付けることができ、スペースの利用効率が良好である。また、現場で部材を組み立てる必要がなく、設置作業効率が良好である。
【考案の効果】
【０００９】
本考案によれば、スペースの利用効率および設置作業効率が良好な無線機架台および無線基地局を提供することができる。
【図面の簡単な説明】
【００１０】
【図１】本考案の実施の形態の無線機架台を示す正面図である。
【図２】図１の無線機架台の側面図である。
【図３】図１の無線機架台の平面図である。
【図４】図１のａ−１部分の拡大図である。
【図５】図１のａ−２部分の拡大図である。
【図６】図２のａ−３部分の拡大図である。
【図７】図２のｂ部分の拡大図である。
【図８】図１の無線機架台を２段に重ねた状態の正面図である。
【図９】図１の無線機架台を２段に重ねた状態の側面図である。
【図１０】図８のｃ−１部分の拡大図である。
【図１１】図８のｃ−２部分の拡大図である。
【考案を実施するための形態】
【００１１】
以下、図面に基づき本考案の実施の形態について説明する。
図１〜図１１は、本考案の実施の形態の無線機架台１を示している。
図１〜図３に示すように、無線機架台１は、４枚のパネル材１１，１２，１３，１４および蓋１５を有している。各パネル材１１，１２，１３，１４は、長方形の外形を有する取付面１６を有している。各取付面１６は、直方体の４つの側面の位置に設けられている。各パネル材１１，１２，１３，１４は、取付面１６の両側辺から裏側に直角に折れ曲がった取付片と、取付面１６の上辺から裏側に直角に折れ曲がった上面１７と、取付面１６の下辺から裏側に直角に折れ曲がった底面１８とを有している。上面１７および底面１８は、直方体の２つの端面の位置にそれぞれ設けられている。蓋１５は、正方形状の板から成り、上面１７の上部に座金を介してボルト１９およびナット２０で固定されている。
【００１２】
無線機架台１は、底面１８に固定部を有している。固定部は、底面１８に設けられた取付孔と、取付孔に取付け可能なボルト２１およびナット２２から成っている。各取付面１６は、長方形の両側辺に沿った２つの縦長部と、上辺および下辺に沿った２本の横長部と、各縦長部の中央を接続する連結部とを有している。
無線機架台１は、各取付面１６に２つの無線機取付部を有している。各パネル材１１，１２，１３，１４は、各縦長部の連結部より上側および下側のそれぞれに、互いに横方向に間隔をあけて縦方向に平行に伸びるそれぞれ１対の溝孔２３，２３を有している。各無線機取付部は、２本の梁材２４，２５とＧＰＳ分配器取付金具２６とハルター２７とを有している。
【００１３】
各梁材２４，２５は、角パイプの側部に両端まで伸びる溝を形成したＣ形鋼から成り、両側面に挟まれた底部に、無線機等の機材を取り付けるための取付孔を有している。一方の梁材２４は、長方形の上辺に沿った横長部に沿って取り付けられている。他方の梁材２５は、図７に示すように、上側の１対の溝孔２３，２３の任意の位置にボルト２８およびナット２９により取り付けられている。各梁材２４，２５には、中間部に２つの機器取付板３０，３１が取り付けられている。
【００１４】
ＧＰＳ分配器取付金具２６は、細長い板状であって、下側の１対の溝孔２３，２３の任意の位置にボルトおよびナットにより取り付けられている。ハルター２７は、細長く両端を同方向に直角に折り曲げた形状を有し、ＧＰＳ分配器取付金具２６より下側の位置で１対の溝孔２３，２３の任意の位置に座金を介してボルトおよびナットにより取り付けられている。
【００１５】
無線機架台１は、上面１７に接続部３２およびＧＰＳアンテナ取付金具３３を有している。接続部３２は、上面１７に設けられた取付孔と、取付孔に取付け可能なボルト１９およびナット２０から成っている。接続部３２は、上面１７に同一の寸法形状の他の無線機架台１を載せてその固定部と接続可能な構成を有している。ＧＰＳアンテナ取付金具３３は、上面１７から上方に突出している。
【００１６】
無線機架台１は、直方体の４つの側面の位置の取付面１６に無線機取付部を有するので、１台に４つの無線機を取り付けることができ、スペースの利用効率が良好である。また、溝孔２３，２３に沿って無線機を取り付ける梁材２５、ＧＰＳ分配器取付金具２６およびハルター２７の高さを調節し、ボルトおよびナットなどにより任意の位置に取り付けることができる。各取付面１６には、上下それぞれに機器取付部が設けられているので、関連機材も十分に取り付けることができる。無線機架台１は、部品点数が少ないため、組立てが容易である。
【００１７】
また、図８〜図１１に示すように、無線機架台１を縦方向に複数重ねて接続部３２で接続することができるので、設置スペースを広げずに、無線機の取付け台数を増やすことができる。また、設置箇所に運搬し、固定部で固定すれば使用することができるので、現場で部材を組み立てる必要がなく、設置作業効率が良好である。
【００１８】
本考案の実施の形態の無線基地局は、無線機架台１と、無線機２と、基礎３とを有し、図４〜図６に示すように、底面１８の固定部が基礎３に固定されている。無線機２は、無線機架台１の無線機取付部に取り付けられている。
基礎３は、本体３ａと蓋３ｂとから成る。基礎３は、全体がＦＲＰ製の直方体形状であり、屋上などの設置面に固定される。基礎３の上面１７は、無線機架台１の底面１８より小さくなっている。
無線基地局は、前述の無線機架台１を有するので、１台の無線機架台１に４つの無線機を取り付けることができ、スペースの利用効率が良好である。また、現場で部材を組み立てる必要がなく、設置作業効率が良好である。
【符号の説明】
【００１９】
１  無線機架台、２  無線機、３  基礎、１１，１２，１３，１４  パネル材、
１５  蓋、１６  取付面、１７  上面、１８  底面、１９  ボルト、２０  ナット、
２１  ボルト、２２  ナット、２３  溝孔、２４，２５  梁材、
２６  ＧＰＳ分配器取付金具、２７  ハルター、２８  ボルト、２９  ナット、
３０，３１  機器取付板、３２  接続部、３３  ＧＰＳアンテナ取付金具
【図１】
0003233041.tif 000003
【図２】
0003233041.tif 000004
【図３】
0003233041.tif 000005
【図４】
0003233041.tif 000006
【図５】
0003233041.tif 000007
【図６】
0003233041.tif 000008
【図７】
0003233041.tif 000009
【図８】
0003233041.tif 000010
【図９】
0003233041.tif 000011
【図１０】
0003233041.tif 000012
【図１１】
0003233041.tif 000013